(57)【特許請求の範囲】
【請求項１】
多数の被験者から撮像された医療画像のデータファイルを少なくとも被験者氏名および被験者ＩＤ(Identity)とともに記憶している画像記憶手段と、
動作モードを切換設定する入力操作を受け付けるモード操作手段と、
このモード操作手段への入力操作に対応して少なくとも音声モードを内包する複数の動作モードを切換設定するモード設定手段と、
前記音声モードが切換設定された状態で音声入力を受け付ける音声入力手段と、
この音声入力手段への入力音声を前記被験者氏名と前記被験者ＩＤとの少なくとも一方として音声認識する音声認識手段と、
この音声認識手段の認識結果を検索キーとして前記画像記憶手段から前記データファイルを検索するデータ検索手段と、
前記データ検索手段で検索された複数の前記データファイルの少なくとも前記被験者氏名と前記被験者ＩＤとを内包する各種データを一覧表示する一覧表示手段と、
一覧表示された前記データファイルから一つを選定する情報が前記音声入力手段に音声入力されて前記音声認識手段で音声認識されると対応する一つの前記データファイルを選定して前記画像表示手段に表示させるデータ選定手段と、
選択された一つの前記データファイルの医療画像を表示する画像表示手段と、
前記医療画像の表示形態を制御する入力操作を受け付ける表示操作手段と、
前記表示操作手段への入力操作に対応して前記医療画像の表示形態を制御する表示制御手段と、
を備え、
前記モード設定手段は、音声入力操作によって前記複数のデータファイルのうち一つが選定されると前記音声入力手段と前記音声認識手段とをオフ状態とする、画像表示装置。
【請求項２】
前記画像記憶手段は、前記被験者の連続する複数の断層画像からなる前記シリーズデータを多数の前記データファイルの少なくとも一部として記憶しており、
前記画像表示手段は、前記シリーズデータの多数の前記断層画像を一つずつ表示し、
前記表示操作手段は、表示されている前記断層画像を連続方向に切り換える入力操作を受け付け、
前記表示制御手段は、表示されている前記断層画像を前記表示操作手段への入力操作に対応して連続方向に切り換える、請求項１に記載の画像表示装置。
【請求項３】
前記表示操作手段は、入力操作される操作部材と、この操作部材を所定方向に揺動自在に支持している支持機構と、前記操作部材を複数の操作位置から一つの初期位置まで相違する圧力で付勢している複数の揺動復帰手段と、前記操作部材の一つの前記初期位置から複数の前記操作位置への揺動を個々に検出する複数の揺動検出手段と、を有しており、
前記表示制御手段は、表示されている前記断層画像を前記表示操作手段の操作部材への複数段階の入力操作に対応した複数段階の切換速度で切り換える、請求項２に記載の画像表示装置。
【請求項４】
前記画像記憶手段は、連続する複数のアキシャル方向の断層画像からなる前記シリーズデータを前記データファイルの少なくとも一部として記憶しており、
前記表示制御手段は、連続する複数の前記断層画像からコロナル方向とサジタル方向との縦長のＭＰＲ(Multi Planar Reformat)画像をデータ生成し、
前記画像表示手段は、コロナル方向とサジタル方向との縦長の前記ＭＰＲ画像の全体を横方向に配列して表示する、請求項１ないし３の何れか一項に記載の画像表示装置。
【請求項５】
請求項１に記載の画像表示装置の画像表示方法であって、
多数の被験者から撮像された医療画像のデータファイルを少なくとも被験者氏名および被験者ＩＤとともに記憶している画像記憶工程と、
動作モードを切換設定する入力操作を受け付けるモード操作工程と、
このモード操作工程での入力操作に対応して少なくとも音声モードを内包する複数の動作モードを切換設定するモード切換工程と、
前記音声モードが切換設定された状態で音声入力を受け付ける音声入力工程と、
この音声入力工程での入力音声を前記被験者氏名と前記被験者ＩＤとの少なくとも一方として音声認識する音声認識工程と、
この音声認識工程の認識結果を検索キーとして前記画像記憶工程から前記データファイルを検索するデータ検索工程と、
前記データ検索工程で検索された複数の前記データファイルの少なくとも前記被験者氏名と前記被験者ＩＤとを内包する各種データを一覧表示する一覧表示工程と、
一覧表示された前記データファイルから一つを選定する情報が音声入力されて前記音声認識工程で音声認識されると対応する一つの前記データファイルを選定して表示させるデータ選定工程と、
選定された一つの前記データファイルの医療画像を表示する画像表示工程と、
前記医療画像の表示形態を制御する入力操作を受け付ける表示操作工程と、
前記表示操作工程での入力操作に対応して前記医療画像の表示形態を制御する表示制御工程と、
前記複数のデータファイルのうち一つが選定されると音声入力手段と音声認識手段とをオフ状態とする工程と、
を有している画像表示方法。
【請求項６】
請求項１に記載の画像表示装置のためのコンピュータプログラムであって、
多数の被験者から撮像された医療画像のデータファイルを少なくとも被験者氏名および被験者ＩＤとともに記憶する画像記憶処理と、
動作モードを切換設定する入力操作を受け付けるモード操作処理と、
このモード操作処理での入力操作に対応して少なくとも音声モードを内包する複数の動作モードを切換設定するモード切換処理と、
前記音声モードが切換設定された状態で音声入力を受け付ける音声入力処理と、
この音声入力処理での入力音声を前記被験者氏名と前記被験者ＩＤとの少なくとも一方として音声認識する音声認識処理と、
この音声認識処理の認識結果を検索キーとして前記画像記憶処理から前記データファイルを検索するデータ検索処理と、
前記データ検索処理で検索された複数の前記データファイルの少なくとも前記被験者氏名と前記被験者ＩＤとを内包する各種データを一覧表示する一覧表示処理と、
一覧表示された前記データファイルから一つを選定する情報が音声入力されて前記音声認識処理で音声認識されると対応する一つの前記データファイルを選定して表示させるデータ選定処理と、
選定された一つの前記データファイルの医療画像を表示する画像表示処理と、
前記医療画像の表示形態を制御する入力操作を受け付ける表示操作処理と、
前記表示操作処理での入力操作に対応して前記医療画像の表示形態を制御する表示制御処理と、
前記複数のデータファイルのうち一つが選定されると音声入力手段と音声認識手段とをオフ状態とする処理と、
を前記画像表示装置に実行させるためのコンピュータプログラム。
【請求項７】
請求項１に記載の画像表示装置のためのコンピュータプログラムが格納されている情報記憶媒体であって、請求項６に記載のコンピュータプログラムが格納されている情報記憶媒体。
【発明の詳細な説明】
【０００１】
【発明の属する技術分野】
本発明は、多数の被験者の医療画像を表示する画像表示装置および方法に関し、特に、多数の被験者ごとのデータファイルを検索して医療画像を表示する画像表示装置および方法に関する。
【０００２】
【従来の技術】
現在、被験者から連続する複数の断層画像を医療画像として撮像する装置として、いわゆるＣＴ(Computed Tomography)スキャナやＭＲＩ(Magnetic Resonance Imaging)装置などが医療現場で使用されており、その撮像された医療画像を表示する画像表示装置も各種が開発されている。
【０００３】
このような画像表示装置は、例えば、専用のコンピュータプログラムをパーソナルコンピュータまたはワークステーションなどにインストールすることで実現され、登録された被験者ごとの医療画像を検索してディスプレイユニットに表示することができる。
【０００４】
より詳細には、一般的な画像表示装置では、被験者ごとの多数の医療画像を一つのデータファイルとし、そのデータファイルを、被験者氏名、被験者ＩＤ、作業日時、作業ＩＤ、等の各種データとともにデータ管理する。このため、その被験者の医療画像を作業者が閲覧したいときは、作業者は画像表示装置に被験者ＩＤなどのテキストデータを検索キーとしてキーボードに入力操作する。すると、画像表示装置は入力操作されたテキストデータを検索キーとしてデータファイルを検索し、そのデータファイルの医療画像をディスプレイユニットに表示するので、作業者は所望の被験者の医療画像を閲覧することができる。
【０００５】
この被験者ごとの医療画像からなるデータファイルの医療画像が、前述のように連続する複数の断層画像からなるシリーズデータの場合、例えば、作業者は所望によりキーボードの方向キーなどを入力操作する。すると、画像表示装置はデータファイルの表示する一つの断層画像を順次切り換えるので、作業者は被験者の複数の断層画像を所望により閲覧することができる。
【０００６】
なお、ＣＴスキャナなどは通常は被験者からアキシャル方向の断層画像を撮像するので、上述のような画像表示装置ではアキシャル方向の連続する複数の断層画像を閲覧することができる。しかし、現在の画像表示装置には、アキシャル方向の連続する複数の断層画像から、所定のＣＧ(Computer Graphic)処理によりコロナル方向とサジタル方向とのＭＰＲ画像をデータ生成して表示するものがある。
【０００７】
その場合、一般的に画像表示装置となるパーソナルコンピュータなどのディスプレイユニットは画面が左右方向に横長であるが、ＭＰＲ画像は得てして上下方向に縦長となる。そこで、現在の画像表示装置では、一つのＭＰＲ画像の上下方向での一部のみをディスプレイユニットに表示し、その表示部分をキーボードの入力操作に対応して上下方向にスクロールさせている。
【０００８】
【発明が解決しようとする課題】
上述のような画像表示装置では、被験者の医療画像を自在に閲覧することができるが、そのためには所望のデータファイルを検索する必要がある。前述のように、通常は医療画像のデータファイルは、被験者氏名、被験者ＩＤ、作業日時、作業ＩＤ、等の各種データとともにデータ管理されているので、所望のデータファイルを検索するためには適切な情報をテキストデータとしてキーボードで入力操作すればよいが、被験者ＩＤなどのテキストデータをキーボードで入力操作する作業は煩雑である。
【０００９】
また、検索されたテキストデータの医療画像が表示されたとき、その表示形態をキーボードなどの入力操作で制御することになるが、前述のように画像表示装置がパーソナルコンピュータなどからなる場合、アルファベットなどの入力キーが配列されたキーボードやマウスで上述の入力操作を実行することになるので、その汎用性は良好であるが操作性は良好でない。
【００１０】
特に、医療画像のデータファイルが連続する複数の断層画像からなるシリーズデータである場合、表示される断層画像を一枚ずつ切り換えること、表示される断層画像を高速に切り換えること、高速に切り換えている断層画像の表示を瞬時に停止させること、等が要求されるが、これを一般的なキーボードやマウスで簡単かつ確実に操作することは困難である。
【００１１】
また、従来の画像表示装置では、アキシャル方向の複数の断層画像からコロナル方向とサジタル方向との縦長のＭＰＲ画像をデータ生成しても、その一つのＭＰＲ画像の上下方向での一部のみをディスプレイユニットにスクロール表示しているので、その部分は詳細に観察できるものの全体イメージを把握することが困難である。
【００１２】
本発明は上述のような課題に鑑みてなされたものであり、簡単な操作でデータファイルを検索して医療画像を表示できる画像表示装置を提供することを目的とする。
【００１３】
【課題を解決するための手段】
本発明の画像表示装置は、画像記憶手段、モード操作手段、モード設定手段、音声入力手段、音声認識手段、データ検索手段、画像表示手段、表示操作手段、表示制御手段、を有し、さらに、一覧表示手段と、データ選定手段とを有する。
【００１４】
本発明の画像表示装置は、多数の被験者から撮像された医療画像のデータファイルを画像記憶手段が少なくとも被験者氏名および被験者ＩＤとともに記憶しており、モード操作手段への入力操作に対応してモード設定手段により音声モードが切換設定されると、音声入力手段への入力音声を音声認識手段が被験者氏名と被験者ＩＤとの少なくとも一方として音声認識し、その認識結果を検索キーとしてデータ検索手段が検索したデータファイルの医療画像を画像表示手段が表示し、その表示形態が表示操作手段への入力操作に対応して表示制御手段で制御される従って、本発明の画像表示装置では、データファイルが膨大な数量でも被験者氏名と被験者ＩＤとの少なくとも一方が音声入力されれば検索される。また、複数のデータファイルが検索、表示された場合、該データファイルから一つを選定する情報を音声入力することで一つのデータファイルを選定して表示することが可能である。それでいて、データファイルの医療画像が表示されると、その表示形態は表示操作手段への入力操作に対応して制御される。また、上述の音声認識は音声モードが切換設定されるまでは実行されず、音声モードの切換設定は一般的な入力操作で実行される。
また、複数のデータファイルのうち一つが選定されると音声入力機能がオフとなるように構成されており、これにより、音声の誤入力が防止される。
【００１５】
なお、本発明で云う入力操作とは、いわゆるスイッチやレバーなどの部材を機械的に可動させる、音声入力以外の各種操作を意味しており、例えば、いわゆるキーボードや操作パネルへの手動操作、足踏ペダルへの足踏操作、等が可能である。
【００１６】
また、本発明で云う各種手段は、その機能を実現するように形成されていれば良く、例えば、所定の機能を発揮する専用のハードウェア、所定の機能がコンピュータプログラムにより付与された画像表示装置、コンピュータプログラムにより画像表示装置の内部に実現された所定の機能、これらの組み合わせ、等を許容する。
【００１７】
また、本発明で云う各種手段は、かならずしも個々に独立した存在である必要はなく、複数の手段が１個の部材として形成されていること、ある手段が他の手段の一部であること、ある手段の一部と他の手段の一部とが重複していること、等も可能である。
【００１８】
また、本発明で云う画像表示装置とは、コンピュータプログラムをデータ読取して対応する処理動作を実行できるハードウェアであれば良く、例えば、ＣＰＵ(Central Processing Unit)を主体として、これにＲＯＭ(Read Only Memory)やＲＡＭ(Random Access Memory)やＩ／Ｆ(Interface)ユニット等の各種デバイスが接続されたハードウェアなどを許容する。
【００１９】
また、本発明でコンピュータプログラムに対応した各種動作を画像表示装置に実行させることは、各種デバイスを画像表示装置に動作制御させることなども許容する。例えば、画像表示装置に各種データをデータ保存させることは、画像表示装置が一部として具備しているＲＡＭ等の情報記憶媒体に各種データを格納すること、画像表示装置に交換自在に装填されているＦＤ(Flexible Disc-cartridge)等の情報記憶媒体に各種データを格納すること、等を許容する。
【００２０】
【発明の実施の形態】
［実施の形態の構成］
本発明の実施の一形態を図面を参照して以下に説明する。図１および図２に示すように、本形態の画像表示装置３００は、図２および図１に示すように、断層検査システム４００の一部として形成されており、ＣＴスキャナ４０１にオンライン接続されている。
【００２１】
図３に示すように、本形態の画像表示装置３００は、本体ユニット２１２、ディスプレイユニット２１１、各種の操作手段であるコントロールユニット２００、を有しており、そのディスプレイユニット２１１とコントロールユニット２００とが本体ユニット２１２に接続されている。
【００２２】
図４に示すように、本形態の画像表示装置３００は、コンピュータの主体となるハードウェアとしてＣＰＵ３０１を具備しており、このＣＰＵ３０１には、バスライン３０２により、ＲＯＭ３０３、ＲＡＭ３０４、ＨＤＤ３０５(Hard Disc Drive)３０５、ＦＤ３０６が交換自在に装填されるＦＤＤ(FD Drive)３０７、ＣＤ(Compact Disc)−ＲＯＭ３０８が交換自在に装填されるＣＤドライブ３０９、音声入力手段であるマイクロフォン３１０、コントロールユニット２００、ディスプレイユニット２１１、Ｉ／Ｆユニット３１１、等のハードウェアが接続されている。
【００２３】
図５および図６に示すように、本形態の画像表示装置３００のコントロールユニット２００は、本体ハウジング２０１に前後方向に細長い異形孔２０２が形成されており、そこに入力操作装置１００の操作部材１０６が下方から露出している。
【００２４】
また、コントロールユニット２００には、各種の操作キー２０５も設けられており、これらの操作キー２０５に結線された回路基板(図示せず)も内蔵されている。この回路基板にはコネクタケーブル２０６も結線されており、このコネクタケーブル２０６が入力操作装置１００の接続コネクタ１１９に着脱自在に接続されている。
【００２５】
ここで、このコントロールユニット２００の入力操作装置１００の構造を以下に詳述する。まず、図６ないし図８に示すように、本形態の入力操作装置１００は、前後方向に細長い矩形の金属平板からなる基礎部材１０１を具備しており、この基礎部材１０１の上面の左右両側には、Ｌ字型に曲折された金属平板からなる一対の側壁部材１０２が一体に固定されている。
【００２６】
また、これら一対の側壁部材１０２の間隙に位置する基礎部材１０１の上面には、前後方向に細長い基礎基板１０３が一体に固定されており、この基礎基板１０３の前後端部が基礎部材１０１の前後縁部より外側に各々突出している。一対の側壁部材１０２の上部中央には支持機構に相当する支持軸１０４が装着されており、この支持軸１０４で前後方向に細長い前後方向に細長い矩形の金属平板からなる揺動部材１０５が前後方向に揺動自在に軸支されている。
【００２７】
この揺動自在な揺動部材１０５の上面には、前後方向に細長い扁平な直方体状に樹脂で形成された操作部材１０６が一体に装着されており、この操作部材１０６は、上面が前端部分から後段部分まで円滑に連通する一面に形成されている。揺動部材１０５の下面には揺動基板１０７が一体に装着されているので、この前後方向に揺動自在に支持された揺動基板１０７が基礎基板１０３に所定間隔で上方から対向している。
【００２８】
そして、本形態の入力操作装置１００では、揺動基板１０７が対向している基礎基板１０３の前後端部の各々にセンサ素子１１１が二個ずつ並列に実装されており、これら二個のセンサ素子１１１に上方から対向する揺動基板１０７の前後端部の各々にはセンサ素子１１１が一個ずつ実装されている。
【００２９】
このため、基礎部材１０１の表側には、基礎基板１０３を介してセンサ素子１１１が両端部分に二個ずつ並列に実装されており、操作部材１０６の裏側には、揺動部材１０５と揺動基板１０７とを介してセンサ素子１１１が両端部分に一個ずつ実装されている。
【００３０】
なお、本形態の入力操作装置１００では、一対の側壁部材１０２の前後端部の各々にガイド部材１１２が上下方向に変位自在に装着されており、これらのガイド部材１１２を介して基礎基板１０３の前後端部に実装された二個のセンサ素子１１１と揺動基板１０７の前後端部に実装された一個のセンサ素子１１１とが当接している。
【００３１】
これらのセンサ素子１１１は、一般的な市販部品からなり、素子本体１１３からセンサ凸部１１４が弾発的に突出している。このセンサ素子１１１は、所定の作動荷重が作用した場合のみセンサ凸部１１４が素子本体１１３に埋没し、入力操作の有無を二値で検出する。
【００３２】
基礎基板１０３の前後端部に二個ずつ並列実装されたセンサ素子１１１と揺動基板１０７の前後端部に一個ずつ実装されたセンサ素子１１１とは作動荷重が共通しているので、操作部材１０６は、作動荷重と二倍の作動荷重とで二段階に前後端部が上方に付勢されて初期位置に保持されている。なお、これより以下では説明を簡単とするため、センサ素子１１１の作動荷重を第一荷重、二倍の作動荷重を第二荷重、と呼称する。
【００３３】
本形態の入力操作装置１００では、上述のように操作部材１０６が第一荷重と第二荷重とで一つの初期位置に付勢されているので、図８(ｂ)に示すように、操作部材１０６の一端部分に第一荷重が作用すると、揺動基板１０７に実装されている一個のセンサ素子１１１のみ作動することで、操作部材１０６の一端部分は初期位置から第一の操作位置まで揺動する。
【００３４】
さらに、図８(ｃ)に示すように、この状態から操作部材１０６の一端部分に第二荷重が作用すると、基礎基板１０３に実装されている二個のセンサ素子１１１が作動することで、操作部材１０６の一端部分は第一の操作位置から第二の操作位置まで揺動する。
【００３５】
また、本形態の入力操作装置１００では、センサ素子１１１の上下厚の二倍にガイド部材１１２の直径を加算した数値と、基礎基板１０３と揺動基板１０７の間隙の数値と、が同一となるように各部が設計されているので、いわゆる遊びのない状態で操作部材１０６が初期位置に保持されている。
【００３６】
なお、基礎基板１０３の上面と揺動基板１０７の下面にはプリント配線（図示せず）が形成されており、このプリント配線にセンサ素子１１１が実装されている。さらに、揺動基板１０７のプリント配線にはフレキシブル基板１１６の一端が直結されており、このフレキシブル基板１１６の他端が接続コネクタ１１９，１１８を介して基礎基板１０３のプリント配線に接続されている。また、この基礎基板１０３のプリント配線には、外部出力の接続コネクタ１１９も実装されており、上述の一対の接続コネクタ１１８，１１９は、基礎基板１０３の前後端部に一個ずつ配置されている。
【００３７】
ただし、前述のように操作部材１０６の一端部分に第二荷重が作用しても、基礎基板１０３の両端部分に実装されている二個のセンサ素子１１１の作動タイミングに誤差が発生する可能性がある。そこで、本形態の入力操作装置１００では、例えば、基礎基板１０３の両端部分に並設されている二個のセンサ素子１１１の出力配線を共通化することなどにより、並設されている二個のセンサ素子１１１が一方のみ作動しても検出信号が出力される構造を実現している。
【００３８】
また、本形態の断層検査システム４００では、ＣＴスキャナ４０１は、画像撮像手段である画像撮像機構４１１と画像供給手段である通信ユニット４１２とを具備しており、図１２に示すように、画像撮像機構４１１が被験者の人体(図示せず)からアキシャル方向に連続する複数の断層画像を医療画像として撮像する。
【００３９】
一人の被験者から連続に撮像された複数の医療画像はシリーズデータのデータファイルとして蓄積され、通信ユニット４１２が画像表示装置３００にデータ送信する。なお、以下では説明を簡単とするため、複数の断層画像が連続するアキシャル方向を前後方向と呼称する。
【００４０】
本形態の画像表示装置３００では、ＲＯＭ３０３、ＲＡＭ３０４、ＨＤＤ３０５、交換自在なＦＤ３０６、交換自在なＣＤ−ＲＯＭ３０８、等のハードウェアが情報記憶媒体に相当し、これらの少なくとも一個にＣＰＵ３０１のためのコンピュータプログラムやリソースがソフトウェアとして格納されている。このようなソフトウェアは画像表示装置３００に事前にインストールされており、画像表示装置３００の起動時にＣＰＵ３０１にデータ読取される。
【００４１】
このようにＣＰＵ３０１が適正なコンピュータプログラムをデータ読取して各種処理を実行することにより、本形態の画像表示装置３００は、図１に示すように、画像取得手段３２１、画像記憶手段３２２、モード設定手段３２３、音声認識手段３２４、データ検索手段３２５、画像表示手段３２６、一覧表示手段３２７、データ選定手段３２８、表示制御手段３２９、等の各種手段を各種機能として論理的に具備している。
【００４２】
画像取得手段３２１は、ＲＡＭ３０４に格納されているコンピュータプログラムに対応してＣＰＵ３０１がＩ／Ｆユニット３１１の受信データを認識する機能などに相当し、ＣＴスキャナ４１０からシリーズデータを取得する。画像記憶手段３２２は、ＣＰＵ３０１が認識するようにＨＤＤ３０５に構築された記憶エリアなどに相当し、図９および図１０に示すように、画像取得手段３２１で取得されたシリーズデータを“被験者氏名、被験者ＩＤ、作業日時、作業ＩＤ”等の各種のステータデータとともに記憶する。
【００４３】
なお、このようにシリーズデータにステータデータを付与することは、ＣＴスキャナ４１０、画像表示装置３００、ＣＴスキャナ４１０または画像表示装置３００とデータ通信するデータ処理装置(図示せず)、の何れでも可能であるが、本形態では画像表示装置３００がＣＴスキャナ４１０を動作制御するとともにシリーズデータにステータデータを付与すると想定する。
【００４４】
以下の各種手段はコンピュータプログラムに対応してＣＰＵ３０１が所定のデータ処理を実行する機能などに相当し、モード設定手段３２３は、コントロールユニット２００の入力操作に対応して音声モードなどの複数の動作モードを切換設定する。
【００４５】
このモード設定手段３２３は、音声モードが切換設定されるとマイクロフォン３１０と音声認識手段３２４とをオン状態とし、音声モード以外の動作モードが切換設定されると、マイクロフォン３１０と音声認識手段３２４とをオフ状態とする。
【００４６】
音声認識手段３２４は、音声モードが切換設定されると、マイクロフォン３１０への入力音声を被験者氏名または被験者ＩＤとして音声認識し、データ検索手段３２５は、音声認識手段３２４の認識結果を検索キーとしてステータスデータが該当するシリーズデータを画像記憶手段３２２から検索する。
【００４７】
なお、モード設定手段３２３は、音声認識によりシリーズデータが検索されると、その時点でマイクロフォン３１０と音声認識手段３２４とをオフ状態とする。また、画像表示手段３２６は、データ検索手段３２５で一つのシリーズデータが検索されたときは、図１１に示すように、そこに付与されている各種のステータデータとともに一つの断層画像をディスプレイユニット２１１に表示させる。
【００４８】
ただし、図９に示すように、音声認識される被験者氏名または被験者ＩＤに対応するシリーズデータが一つしか検索されない場合は、上述のように検索された一つのシリーズデータの断層画像がディスプレイユニット２１１に表示されるが、複数のシリーズデータが検索されることもある。
【００４９】
例えば、被験者氏名が音声認識された場合、同姓同名の被験者のシリーズデータ、氏名が同音の被験者のシリーズデータ、は一様に検索されることになる。また、被験者ＩＤは被験者ごとに一つしか存在しないが、その被験者の複数のシリーズデータが登録されていることもある。
【００５０】
このような場合、一覧表示手段３２７は、図１０に示すように、データ検索手段３２５で検索された複数のシリーズデータの各種のステータデータをシリアルナンバとともに一覧表示し、データ選定手段３２８は、一覧表示されたシリーズデータから一つを選定するシリアルナンバがコントロールユニット２００に入力操作されると、そのシリアルナンバのシリーズデータを選定して画像表示手段３２６に表示させる。
【００５１】
表示制御手段３２９は、ディスプレイユニット２１１に表示された断層画像の表示形態の制御指示がコントロールユニット２００に入力操作されると、その入力操作に対応して断層画像の表示形態を制御する。より具体的には、図１２に示すように、前述のようにシリーズデータはアキシャル方向である前後方向に連続する多数の断層画像からなるので、図１１に示すように、その一つの断層画像がディスプレイユニット２１１に表示された状態でコントロールユニット２００の操作部材１０６が前後方向に入力操作されると、これに対応してディスプレイユニット２１１に表示される断層画像が前後方向に切り換えられる。
【００５２】
ただし、本形態の画像表示装置３００では、前述のようにコントロールユニット２００の入力操作装置１００が操作部材１０６への入力操作を２段階に受け付けるので、その２段階の入力操作に対応して表示される断層画像の切換速度が制御される。
【００５３】
つまり、操作部材１０６の前端部分が第一荷重だけ押圧操作されると、表示されるシリーズデータの断層画像が前進方向に低速に切り換えられ、さらに、この状態から操作部材１０６の前端部分が第二荷重まで押圧操作されると、断層画像が前進方向に高速に切り換えられる。
【００５４】
同様に、操作部材１０６の後端部分が第一荷重だけ押圧操作されると、表示されるシリーズデータの断層画像が後退方向に低速に切り換えられ、さらに、この状態から操作部材１０６の後端部分が第二荷重まで押圧操作されると、断層画像が後退方向に高速に切り換えられる。
【００５５】
また、本形態の画像表示装置３００では、前述のようにシリーズデータの断層画像がアキシャル方向に連続しているので、表示制御手段３２９は、コントロールユニット２００に所定の入力操作が実行されると、連続する複数の断層画像から所定のＣＧ処理によりコロナル方向とサジタル方向との縦長のＭＰＲ画像をデータ生成し、図１３に示すように、画像表示手段３２６は、コロナル方向とサジタル方向との縦長のＭＰＲ画像の全体を横方向に配列して各種のステータデータとともにディスプレイユニット２１１に表示させる。
【００５６】
上述のような画像表示装置３００の各種手段は、必要によりＨＤＤ３０５やＩ／Ｆユニット３１１等のハードウェアを利用して実現されるが、その主体はＲＡＭ３０４等の情報記憶媒体に格納されたコンピュータプログラムに対応してハードウェアであるＣＰＵ３０１が機能することにより実現されている。
【００５７】
このようなコンピュータプログラムは、例えば、Ｉ／Ｆユニット３１１でＣＴスキャナ４１０からシリーズデータを受信する処理、この受信されたシリーズデータを各種のステータデータとともにＨＤＤ３０５に記憶させる処理、コントロールユニット２００の入力操作に対応して音声モードなどの複数の動作モードを切換設定する処理、音声モードが切換設定されるとマイクロフォン３１０への入力音声を被験者氏名または被験者ＩＤとして音声認識する処理、その認識結果を検索キーとしてシリーズデータを検索する処理、一つのシリーズデータが検索されたときは断層画像を各種のステータデータとともにディスプレイユニット２１１に表示させる処理、複数のシリーズデータが検索されたときは各種のステータデータをシリアルナンバとともに一覧表示する処理、シリアルナンバがコントロールユニット２００に入力操作されると対応するシリーズデータを選定してディスプレイユニット２１１に断層画像を表示させる処理、ディスプレイユニット２１１に表示された断層画像の表示形態をコントロールユニット２００への入力操作に対応して制御する処理、等の処理動作をＣＰＵ３０１等に実行させるためのソフトウェアとしてＲＡＭ３０４等の情報記憶媒体に格納されている。
【００５８】
［実施の形態の動作］
上述のような構成において、本形態の断層検査システム４００での断層検査方法を以下に順番に説明する。まず、ＣＴスキャナ４１０により被験者の人体からアキシャル方向に連続する複数の断層画像が医療画像として撮像され、その複数の断層画像がシリーズデータのデータファイルとして画像表示装置３００に登録される。
【００５９】
このとき、本形態の断層検査システム４００では、例えば、作業者が画像表示装置３００のコントロールユニット２００を手動操作することにより、図１４に示すように、ＨＤＤ３０５の所定エリアに登録されるシリーズデータに“被験者氏名、被験者ＩＤ、作業日時、作業ＩＤ”等の各種のステータデータが付与される(ステップＳ１〜Ｓ３)。
【００６０】
このような状態で、作業者が画像表示装置３００のコントロールユニット２００に動作モードの切換指示を入力操作すると(ステップＳ４，Ｓ６)、これに対応して画像表示装置３００の動作モードが切換設定される(ステップＳ５，Ｓ７)。
【００６１】
そこで、所望のシリーズデータの断層画像を閲覧したい作業者が動作モードとして音声モードを切換設定すると、図１５に示すように、オフ状態にデフォルト設定されていたマイクロフォン３１０と音声認識機能とがオン状態とされる(ステップＴ１)。
【００６２】
この状態で作業者が閲覧したいシリーズデータの被験者氏名または被験者ＩＤをマイクロフォン３１０に音声入力すると(ステップＴ２)、その入力音声がＣＰＵ３０１のデータ処理などにより被験者氏名または被験者ＩＤとして音声認識される(ステップＴ３)。
【００６３】
すると、この認識結果を検索キーとしてステータスデータが該当するシリーズデータがＨＤＤ３０５の所定エリアから検索され(ステップＴ５)、これでシリーズデータが一つも検索されないと“入力音声は…と認識されましたが、これに該当するデータは登録されていません”などのエラーガイダンスがディスプレイユニット２１１に表示され(ステップＴ６)、再度の音声入力に待機する状態となる(ステップＴ２)。
【００６４】
また、音声認識によりシリーズデータが検索されると、その時点でマイクロフォン３１０と音声認識機能とがオフ状態とされる(ステップＴ７)。そして、複数のシリーズデータが検索された場合は(ステップＴ８)、図１０に示すように、その複数のシリーズデータの各種のステータデータがシリアルナンバとともにディスプレイユニット２１１に一覧表示される(ステップＴ９)。
【００６５】
そこで、これを確認した作業者が所望のシリーズデータに該当する一つのシリアルナンバをコントロールユニット２００に入力操作すると(ステップＴ１０)、そのシリアルナンバに対応した一つのシリーズデータが選定される(ステップＴ１１)。このように一つのシリーズデータが選定されると、図１１に示すように、そのシリーズデータの第１枚目の断層画像がステータスデータとともにディスプレイユニット２１１に表示される(ステップＴ１２)。
【００６６】
なお、音声認識の認識結果により最初からシリーズデータが一つだけ検索されたときは(ステップＴ８)、上述の一覧表示などの処理動作(ステップＴ９〜Ｔ１１)は省略され、そのシリーズデータの第１枚目の断層画像がステータスデータとともにディスプレイユニット２１１に表示される(ステップＴ１２)。
【００６７】
このようにディスプレイユニット２１１にシリーズデータの断層画像が表示された状態で、コントロールユニット２００に表示制御が入力操作されると(ステップＴ１３)、その入力操作に対応して断層画像の表示形態が制御される(ステップＴ１４)。
【００６８】
より詳細には、図１１に示すように、シリーズデータの一つ断層画像がディスプレイユニット２１１に表示されているとき、図１６に示すように、コントロールユニット２００の入力操作装置１００の操作部材１０６の前端部分が第二荷重まで押圧操作されると(ステップＥ１)、断層画像が前進方向に高速に切り換えられ(ステップＥ２)、後端部分が第二荷重まで押圧操作されると(ステップＥ５)、断層画像が後退方向に高速に切り換えられる(ステップＥ６)。
【００６９】
また、入力操作装置１００の操作部材１０６の前端部分が第一荷重まで押圧操作されると(ステップＥ３)、断層画像が前進方向に低速に切り換えられ(ステップＥ４)、後端部分が第一荷重まで押圧操作されると(ステップＥ７)、断層画像が後退方向に低速に切り換えられる(ステップＥ８)。
【００７０】
なお、上述のように入力操作装置１００の操作部材１０６を手動操作して断層画像を順次切り換えている場合でも、その手動操作を解除すると自動的に操作部材１０６が初期位置に復帰して入力操作装置１００の信号出力が停止するので、断層画像の前進後退は瞬時に停止する。
【００７１】
また、上述のように断層画像が前後方向に低速に切換表示されているときは、例えば、表示されている断層画像が1.0(sec)などの所定時間が経過するごとに切り換えられるので、操作部材１０６を一瞬だけ押圧操作すれば断層画像は一つだけ前後することになる。
【００７２】
一方、図１１に示すように、シリーズデータの一つ断層画像がディスプレイユニット２１１に表示されているとき、コントロールユニット２００に所定の入力操作が実行されると、画像表示装置３００は連続する複数の断層画像から所定のＣＧ処理によりコロナル方向とサジタル方向との縦長のＭＰＲ画像をデータ生成し、図１３に示すように、コロナル方向とサジタル方向との縦長のＭＰＲ画像の全体を横方向に配列して各種のステータデータとともにディスプレイユニット２１１に表示する。
【００７３】
［実施の形態の効果］
本形態の断層検査システム４００の画像表示装置３００では、上述のように作業者が所望のシリーズデータの断層画像を閲覧したいとき、作業者が被験者氏名または被験者ＩＤを音声入力すればシリーズデータが検索されるので、登録されているシリーズデータが膨大な数量でも簡単に検索処理を実行することができ、被験者氏名または被験者ＩＤのテキストデータをコントロールユニット２００やキーボードなどで入力操作する煩雑な作業が必要ない。
【００７４】
また、検索されたシリーズデータが複数の場合、その各種のステータデータがディスプレイユニット２１１にシリアルナンバとともに一覧表示され、そのシリアルナンバのみコントロールユニット２００に入力操作されれば一つのシリーズデータが選定されるので、最初の音声入力で検索されたシリーズデータが複数でも適正な一つを簡単な入力操作で選定することができる。
【００７５】
しかも、音声モードが切換設定されるまでマイクロフォン３１０と音声認識機能とはオフ状態にデフォルト設定されており、音声認識によりシリーズデータが検索されるとマイクロフォン３１０と音声認識機能とはオフ状態に再度設定されるので、無用な音声入力による誤動作が発生することを防止でき、無用な電力消費や処理負担も防止することができる。
【００７６】
また、シリーズデータの断層画像が表示されると、その表示形態はコントロールユニット２００への入力操作に対応して制御されるので、音声入力では困難な表示制御は一般的な入力操作で実行することができる。その場合、入力操作装置１００の一個の操作部材１０６を前後方向に複数段階に入力操作することで、シリーズデータの断層画像を複数段階の可変速度で切換表示することができ、操作部材１０６は入力操作が解除されると自動的に初期位置に復帰するので、切換表示されている断層画像を瞬時に停止させることもできる。このため、本形態の入力操作装置１００は操作性が良好であり、本形態の画像表示装置３００は断層画像を快適に閲覧することができる。
【００７７】
また、本形態の画像表示装置３００は、コントロールユニット２００に所定の入力操作を実行することにより、アキシャル方向に連続する複数の断層画像からコロナル方向とサジタル方向との縦長のＭＰＲ画像をデータ生成し、そのコロナル方向とサジタル方向との縦長のＭＰＲ画像の全体を横方向に配列してディスプレイユニット２１１に表示させることができる。
【００７８】
このため、本形態の画像表示装置３００では、作業者が被験者の全体的なイメージを容易に把握することができ、特に、縦長の二つのＭＰＲ画像を横方向に配列して表示するので、ディスプレイユニット２１１の横長の画面に二つのＭＰＲ画像を無駄なく表示することができる。
【００７９】
しかも、本形態の入力操作装置１００では、操作部材１０６の前後端部にはセンサ素子１１１を一個ずつ装着し、基礎部材１０１の前後端部にはセンサ素子１１１を二個ずつ装着しているので、一種類のセンサ素子１１１で二段階の作動荷重を簡単かつ確実に実現しており、部品種別の増加も抑制されて生産性が良好である。
【００８０】
さらに、このように並設個数の相違により作動荷重を二段階とした二種類の素子セットを、基礎部材１０１に固定した基礎基板１０３と操作部材１０６に固定した揺動基板１０７とに配分して実装しているので、作動荷重を二段階とした二種類の素子セットが簡単な構造で効率的に配置されており、さらに生産性が良好である。
【００８１】
特に、本形態の入力操作装置１００では、基礎基板１０３に二個のセンサ素子１１１を実装して揺動基板１０７には一個のセンサ素子１１１を実装しているので、揺動基板１０７と基礎基板１０３とを接続するフレキシブル基板１１６の配線本数が削減されており、さらに生産性が良好である。
【００８２】
しかも、本形態の入力操作装置１００では、一般的な市販部品であるセンサ素子１１１で操作部材１０６を初期位置に付勢する揺動復帰手段と操作部材１０６の揺動操作を検出する揺動検出手段とを実現しているので、さらに構造が簡単で生産性が良好である。
【００８３】
［実施の形態の変形例］
なお、本発明は上記形態に限定されるものではなく、その要旨を逸脱しない範囲で各種の変形を許容する。例えば、上記形態では被験者の断層画像をＣＴスキャナ４１０で撮像することを例示したが、これをＭＲＩ装置(図示せず)で撮像することも可能である。
【００８４】
さらに、上記形態ではデータファイルであるシリーズデータを検索して医療画像である断層画像を閲覧することを例示したが、シリーズデータ以外のデータファイルを音声認識により検索することも可能であり、断層画像以外のアンギオ画像などの医療画像を入力操作により閲覧することも可能である。
【００８５】
また、上記形態では音声認識により複数のシリーズデータが検索されたとき、その一覧表示からコントロールユニット２００へのシリアルナンバの入力操作で一つのシリーズデータを選定することを例示したが、作業日時や作業ＩＤなどを入力操作することも可能である。
【００８６】
さらに、上記形態では一覧表示された複数のシリーズデータから一つをコントロールユニット２００の入力操作で選定することを例示したが、一つのシリーズデータを再度の音声入力と音声認識により選定することも可能である。この場合、コントロールユニット２００の場合と同様にシリアルナンバを音声入力することも可能であり、作業日時や作業ＩＤなどを音声入力することも可能である。
【００８７】
なお、最初の音声認識により検索される複数のシリーズデータが少数と予想されるときは、コントロールユニット２００の入力操作で一つを選定することが好適であり、最初の音声認識により検索される複数のシリーズデータが多数と予想されるときは、再度の音声認識により一つを選定することが好適である。
【００８８】
また、上記形態では音声認識により複数のシリーズデータが検索されたとき、その時点でマイクロフォン３１０と音声認識手段３２４とをオフ状態とすることを例示したが、上述のように音声認識により検索された複数のシリーズデータから音声認識により一つを選定する場合、当然ながら、この選定まで完了してからマイクロフォン３１０と音声認識手段３２４とをオフ状態とすることが好適である。
【００８９】
さらに、上記形態では音声認識を必要としないときにはマイクロフォン３１０と音声認識手段３２４との両方をオフ状態とすることを例示したが、その一方のみをオフ状態とすることも可能である。ただし、無用な電力消費や処理負担を防止するためには、音声認識を必要としないときにはマイクロフォン３１０と音声認識手段３２４との両方をオフ状態とすることが好適である。
【００９０】
また、上記形態ではディスプレイユニット２１１に一つのシリーズデータの断層画像を一つだけ表示することを例示したが、例えば、複数のシリーズデータの断層画像を一つずつ並列に表示するようなことも可能であり、一つのシリーズデータの前後位置が異なる複数の断層画像を並列に表示するようなことも可能であり、一つの断層画像を異なる画像処理で複数に表示するようなことも可能である。
【００９１】
さらに、上記形態では操作部材１０６の上面が指先で手動操作される円滑な一面からなる入力操作装置１００を例示したが、例えば、図１７に例示する入力操作装置５００のように、ジョイスティックのように形成した操作部材５０１を揺動部材１０５に装着して手指で手動操作することも可能である。同様に、図１８に例示する入力操作装置６００のように、いわゆる指の腹の部分で前後方向に入力操作できるように、鋭角に突出した断面形状の操作部材６０１を揺動部材１０５に装着し、指先で前後に揺動操作することも可能である。
【００９２】
また、上記形態ではＲＡＭ３０４等に格納されているコンピュータプログラムに対応してＣＰＵ３０１が動作することにより、画像表示装置３００の各種機能として各種手段が論理的に実現されることを例示した。しかし、このような各種手段の各々を固有のハードウェアとして形成することも可能であり、一部をソフトウェアとしてＲＡＭ３０４等に格納するとともに一部をハードウェアとして形成することも可能である。
【００９３】
【発明の効果】
本発明の画像表示装置では、多数の被験者から撮像された医療画像のデータファイルを少なくとも被験者氏名および被験者ＩＤとともに記憶しており、入力操作により音声モードが切換設定されると入力音声を被験者氏名または被験者ＩＤとして音声認識し、その認識結果を検索キーとして検索したデータファイルの医療画像を表示し、その表示形態が入力操作に対応して制御されることにより、データファイルが膨大な数量でも被験者氏名または被験者ＩＤが音声入力されれば検索されるので、被験者氏名または被験者ＩＤのテキストデータをキーボードで入力操作する煩雑な作業が必要なく、それでいて、データファイルの医療画像が表示されると、その表示形態は一般的な入力操作に対応して制御されるので、音声入力では煩雑な画像表示の制御は一般的な入力操作で実行することができ、しかも、上述の音声認識は音声モードが切換設定されるまでは実行されず、音声モードの切換設定は一般的な入力操作で実行されるので、無用な音声入力による誤動作が発生することを防止できる。
【００９４】
また、上述のような画像表示装置において、検索された複数のデータファイルの少なくとも被験者氏名と被験者ＩＤとを内包する各種データを一覧表示し、その一覧表示されたデータファイルから一つを選定する情報が音声入力されて音声認識されると、対応する一つのデータファイルを選定して表示することにより、最初の音声入力で検索されたデータファイルが複数でも適正な一つを音声入力で選定することができる。
【００９６】
また、一つのデータファイルが選定されると音声入力手段と音声認識手段との少なくとも一方をオフ状態とすることにより、選定されたデータファイルの医療画像の表示形態を一般的な入力操作で制御するときに、無用な音声入力による誤動作が発生することを防止できる。
【００９８】
また、被験者の連続する複数の断層画像からなるシリーズデータを記憶しており、一つのシリーズデータの多数の断層画像を一つずつ表示するとき、支持機構が所定方向に揺動自在に支持している操作部材を複数の操作位置から一つの初期位置まで複数の相違する圧力で付勢しており、操作部材の一つの初期位置から複数の操作位置へ揺動を個々に検出し、表示されている断層画像を操作部材への複数段階の入力操作に対応した複数段階の切換速度で切り換えることにより、一個の操作部材への複数段階の入力操作でシリーズデータの医療画像を複数段階の可変速度で切換表示することができ、操作部材は入力操作が解除されると自動的に初期位置に復帰するので切換表示されている医療画像を瞬時に停止させることもできる。
【００９９】
また、アキシャル方向の断層画像からなるシリーズデータを記憶しており、連続する複数の断層画像からコロナル方向とサジタル方向との縦長のＭＰＲ画像をデータ生成し、そのコロナル方向とサジタル方向との縦長のＭＰＲ画像の全体を横方向に配列して表示することにより、コロナル方向とサジタル方向とのＭＰＲ画像の全体が一度に表示されるので、作業者が被験者の全体的なイメージを容易に把握することができ、特に、縦長の二つのＭＰＲ画像を横方向に配列して表示するので、ディスプレイユニットが横長でも無駄なくＭＰＲ画像を表示することができる。
【図面の簡単な説明】
【図１】本発明の実施の一形態の断層検査システムの論理構造を示す模式図である。
【図２】断層検査システムの外観を示す斜視図である。
【図３】画像表示装置の外観を示す斜視図である。
【図４】画像表示装置の物理構造を示すブロック図である。
【図５】コントロールユニットの外観を示す平面図である。
【図６】入力操作装置とコントロールユニットとの関係を示す分解斜視図である。
【図７】入力操作装置の組立構造を示す分解斜視図である。
【図８】入力操作装置の動作を示す側面図である。
【図９】シリーズデータに付与されているステータスデータを示す模式図である。
【図１０】シリーズデータに付与されているステータスデータを示す模式図である。
【図１１】ディスプレイユニットに医療画像である断層画像が表示された状態を示す正面図である。
【図１２】シリーズデータのデータ構造を示す模式図である。
【図１３】ディスプレイユニットに医療画像であるＭＰＲ画像が表示された状態を示す正面図である。
【図１４】画像表示装置による画像表示方法のメインルーチンを示すフローチャートである。
【図１５】音声モードでのサブルーチンを示すフローチャートである。
【図１６】入力操作装置への入力操作に対応した表示制御のサブルーチンを示すフローチャートである。
【図１７】入力操作装置の第一の変形例を示す縦断側面図である。
【図１８】入力操作装置の第二の変形例を示す縦断側面図である。
【符号の説明】
１００，５００，６００    入力操作装置
２００    モード操作手段および表示操作手段および選定操作手段であるコントロールユニット
２１１    ディスプレイユニット
３００    画像表示装置
３０１    コンピュータの主体であるＣＰＵ
３０３    情報記憶媒体であるＲＯＭ
３０４    情報記憶媒体であるＲＡＭ
３０５    情報記憶媒体であるＨＤＤ
３０６    情報記憶媒体であるＦＤ
３０８    情報記憶媒体であるＣＤ−ＲＯＭ
３１０    音声入力手段であるマイクロフォン
３２２    画像記憶手段
３２３    モード設定手段
３２４    音声認識手段
３２５    データ検索手段
３２６    画像表示手段
３２７    一覧表示手段
３２８    データ選定手段
３２９    表示制御手段
【図１】
0004417610.tif 000002
【図２】
0004417610.tif 000003
【図３】
0004417610.tif 000004
【図４】
0004417610.tif 000005
【図５】
0004417610.tif 000006
【図６】
0004417610.tif 000007
【図７】
0004417610.tif 000008
【図８】
0004417610.tif 000009
【図９】
0004417610.tif 000010
【図１０】
0004417610.tif 000011
【図１１】
0004417610.tif 000012
【図１２】
0004417610.tif 000013
【図１３】
0004417610.tif 000014
【図１４】
0004417610.tif 000015
【図１５】
0004417610.tif 000016
【図１６】
0004417610.tif 000017
【図１７】
0004417610.tif 000018
【図１８】
0004417610.tif 000019